(57)【要約】  【課題】  乗客の乗客識別情報に基づいて抽出された広告情報を定期券に印刷することにより、より高い広告効果を発揮することができる広告付加装置を提供する。  【解決手段】  定期券発行装置２により定期券を発行する際に、入力装置７により入力され、読取装置８により読み取られた乗客識別情報１３に基づいて、広告情報サーバ１０に格納された第１広告情報２０と第２広告情報２１とから各性別１５、年齢１６、乗降駅１８に応じて最も効果の期待できる広告情報を広告抽出手段９により抽出し、その第１広告画像２５、第２広告画像２６とを定期券４、３０に印刷するように構成する。  【選択図】  図１
2005156965.tif 000002
【特許請求の範囲】
【請求項１】
複数の広告情報を記憶する記憶手段と、
定期券に記憶された乗客の乗客識別情報を読み取る読取手段と、
前記読取手段により読み取られた前記乗客識別情報に基づいて、前記記憶手段に記憶された複数の広告情報より任意の広告情報を抽出する抽出手段と、
前記抽出手段により抽出した広告情報を前記定期券に印刷する印刷手段とを備えることを特徴とする広告付加装置。
【請求項２】
前記乗客識別情報を入力する入力手段を備えたことを特徴とする請求項１に記載の広告付加装置。
【請求項３】
前記乗客識別情報は、前記乗客の性別、年齢及び乗降駅の内、いずれか１つを少なくとも含むことを特徴とする請求項１又は請求項２に記載の広告付加装置。
【請求項４】
前記広告情報は、性別及び年齢に従って区分けされた第１広告情報と、乗降駅に従って区分けされた第２広告情報とを有することを特徴とする請求項１乃至請求項３のいずれかに記載の広告付加装置。
【請求項５】
前記抽出手段は、前記乗客識別情報の性別及び年齢に基づいて前記第１広告情報を抽出する第１抽出手段と、前記乗客識別情報の乗降駅に基づいて前記第２広告情報を抽出する第２抽出手段とを有することを特徴とする請求項４に記載の広告付加装置。
【請求項６】
前記印刷手段は、前記第１抽出手段により抽出された第１広告情報、及び第２抽出手段により抽出された第２広告情報の一方若しくは両方を印刷することを特徴とする請求項５に記載の広告付加装置。
【発明の詳細な説明】
【技術分野】
【０００１】
本発明は、定期券に記憶された乗客の情報に基づいて広告を表示させる広告付加装置に関し、特に、定期券に広告を印刷することによって、より多くの乗客に対して広告効果を発揮することを可能とし、広告効果を向上させた広告付加装置に関する。
【背景技術】
【０００２】
従来より、定期券に記録された乗客の情報に基づいて、乗客に最も効果があると思われる広告を当該乗客に対して提供する広告システムについて種々提案されている。例えば、特開２００３−２１６０８１号公報には、定期券情報及びユーザー情報について記憶されたＩＣカードを自動改札機に通す際に、ＩＣカードよりユーザー情報を読み取るとともにユーザー情報に対応した広告情報をサーバより選出し、乗客の携帯端末に対して配信して表示させる情報・広告配信システム及び情報・広告配信方法が記載されている。
【特許文献１】特開２００３−２１６０８１号公報（第７頁〜第８頁、図１）
【発明の開示】
【発明が解決しようとする課題】
【０００３】
しかしながら、前記した特許文献１に記載された情報・広告配信システム及び情報・広告配信方法において、広告情報はユーザーの所持する携帯端末に表示させていたので、携帯電話等の携帯端末を所持しないユーザーに対しては広告情報を配信することができず、十分な広告効果を発揮することができなかった。
【０００４】
本発明は、前記従来の問題点を解消するためになされたものであり、定期券に記憶された乗客の乗客識別情報に基づいて抽出された広告情報を乗客の定期券に印刷するので、より多くの乗客に対して広告情報を提供でき、高い広告効果を期待することができる広告付加装置を提供することを目的とする。
【課題を解決するための手段】
【０００５】
前記目的を達成するため請求項１に係る広告付加装置は、複数の広告情報（例えば、第１広告情報２０、第２広告情報２１）を記憶する記憶手段（例えば、広告情報サーバ１０）と、定期券（例えば、定期券４、３０）に記憶された乗客の乗客識別情報（例えば、乗客識別情報１３）を読み取る読取手段（例えば、読取装置８、Ｓ３）と、前記読取手段により読み取られた前記乗客識別情報に基づいて、前記記憶手段に記憶された複数の広告情報より任意の広告情報を抽出する抽出手段（例えば、広告抽出部９、Ｓ４、Ｓ５）と、前記抽出手段により抽出した広告情報を前記定期券に印刷する印刷手段（例えば、広告印刷装置１１、Ｓ６）とを備えることを特徴とする。
【０００６】
また、請求項２に係る広告付加装置は、請求項１に記載の広告付加装置（例えば、広告付加装置１）において、前記乗客識別情報（例えば、乗客識別情報１３）を入力する入力手段（例えば、入力装置７、Ｓ２）を備えたことを特徴とする。
【０００７】
また、請求項３に係る広告付加装置は、請求項１又は請求項２に記載の広告付加装置（例えば、広告付加装置１）において、前記乗客識別情報（例えば、乗客識別情報１３）は、前記乗客の性別（例えば、性別１５）、年齢（例えば、年齢１６）及び乗降駅（例えば、乗降駅１８）の内、いずれか１つを少なくとも含むことを特徴とする。
【０００８】
また、請求項４に係る広告付加装置は、請求項１乃至請求項３のいずれかに記載の広告付加装置例えば、広告付加装置１）において、前記広告情報（例えば、第１広告情報２０、第２広告情報２１）は、性別（例えば、性別１５）及び年齢（例えば、年齢１６）に従って区分けされた第１広告情報（例えば、第１広告情報２０）と、乗降駅（例えば、乗降駅１８）に従って区分けされた第２広告情報（例えば、第２広告情報２１）とを有することを特徴とする。
【０００９】
また、請求項５に係る広告付加装置は、請求項４に記載の広告付加装置（例えば、広告付加装置１）において、前記抽出手段（例えば、広告抽出部９）は、前記乗客識別情報（例えば、乗客識別情報１３）の性別（例えば、性別１５）及び年齢（例えば、年齢１６）に基づいて前記第１広告情報（例えば、第１広告情報２０）を抽出する第１抽出手段（例えば、広告抽出部９、Ｓ４）と、前記乗客識別情報の乗降駅（例えば、乗降駅１８）に基づいて前記第２広告情報（例えば、第２広告情報２１）を抽出する第２抽出手段（例えば、広告抽出部９、Ｓ５）とを有することを特徴とする。
【００１０】
また、請求項６に係る広告付加装置は、請求項５に記載の広告付加装置（例えば、広告付加装置１）において、前記印刷手段（例えば、広告印刷装置１１）は、前記第１抽出手段（例えば、広告抽出部９）により抽出された第１広告情報（例えば、第１広告情報２０）、及び第２抽出手段（例えば、広告抽出部９）により抽出された第２広告情報（例えば、第２広告情報２１）の一方若しくは両方を印刷することを特徴とする。
【発明の効果】
【００１１】
請求項１に係る広告付加装置では、読取手段により読み取られた乗客識別情報に基づいて抽出された広告情報を、定期券に印刷するので、定期券を利用するすべての乗客に対して乗客識別情報に基づいた効果の高い広告情報を提供することが可能である。従って、より多くの乗客に対して高い広告効果を発揮させることが可能である。
【００１２】
また、請求項２に係る広告付加装置では、乗客識別情報を入力する入力手段を備えているので、定期券を新規発行する場合においても、乗客識別情報に基づいた広告情報を乗客に対して提供することが可能である。
【００１３】
また、請求項３に係る広告付加装置では、乗客識別情報として、性別、年齢、及び乗降駅の内、いずれか１つを少なくとも含んでいるので、各性別、年代に対応した広告情報を提供することができ、また、利用される駅の地域周辺に関する広告情報を提供することができる。従って、乗客個別に対応した様々な広告情報を提供することが可能である。
【００１４】
また、請求項４に係る広告付加装置では、広告情報として、性別、年齢によって区分けされた第１広告情報と、乗降駅によって区分けされた第２広告情報とを有するので、第１広告情報によって各性別、年代に対応した広告情報を抽出することができ、また、第２広告情報によって利用される駅の地域周辺に関する広告情報を抽出することができる。従って、各広告情報を組み合わせた、より効果の高い広告情報を提供することが可能である。
【００１５】
また、請求項５に係る広告付加装置では、性別、年齢に基づいて広告情報を抽出する第１抽出手段と、乗降駅に基づいて広告情報を抽出する第２抽出手段を有しているので、各性別、年代に対応した広告情報を乗客に対して提供することがでるとともに、利用される駅の地域周辺に関する広告情報についても提供することができる。従って、乗客に対してより効果の高い広告情報を提供することが可能である。
【００１６】
また、請求項６に係る広告付加装置では、第１抽出手段により抽出された第１広告情報、及び第２抽出手段により抽出された第２広告情報の一方若しくは両方を印刷するので、各性別、年代において興味ある分野に関する広告情報と、利用される駅の地域周辺に関する広告情報とをそれぞれ提供することにより、乗客に対してより高い広告効果を発揮することが可能である。
【発明を実施するための最良の形態】
【００１７】
以下、本発明に係る広告付加装置１について具体化した実施形態に基づき図面を参照しつつ詳細に説明する。先ず、本実施形態に係る広告付加装置の概略構成について図１に基づき説明する。図１は本実施形態に係る広告付加装置の概略構成を示すブロック図である。
【００１８】
図１に示すように、広告付加装置１は定期券発行装置２内に設置され、定期券発行の際に発行される定期券に対して広告の印刷を行うものである。
ここで、前記定期券発行装置２により乗客に対して定期券を発行するに際しては、乗客が記入した記入用紙３に基づいて発行する新規発行と、乗客が以前に使用していた旧定期券４に基づいて発行する継続発行の２種類の発行方法がある。尚、前記２種の発行方法、及び定期券発行装置２に関しては既に公知であり、その詳細の説明については省略する。
【００１９】
広告付加装置１は、入力装置７と、読取装置８と、広告抽出部９と、広告情報サーバ１０と、広告印刷装置１１とから基本的に構成されている。
入力装置７は、定期券の新規発行の際に乗客が記入した記入用紙３の情報を入力する装置である。具体的には、定期券発行の際に、記入用紙３に記載された乗客の乗客識別情報１３（氏名１４、性別１５、年齢１６、乗車期間１７、乗降駅１８）を定期券発行装置２に備えられた操作ボタン（図示せず）等を操作することにより定期券発行装置１に入力されるが、その際の入力情報の内、性別１５、年齢１６、乗降駅１８に関する情報が、入力装置７を介して広告付加装置１にも入力される。
【００２０】
また、読取装置８は、定期券の継続発行の際に以前に使用していた旧定期券４の情報を読み取る装置である。具体的には、定期券発行の際に、旧定期券４の磁気記録媒体（旧定期券４がＩＣカードからなる場合にはＩＣチップ、以下同じ）に記録された乗客識別情報１３（性別１５、年齢１６、乗降駅１８）が、定期券発行装置２に挿入された際に読取装置８により読み取られる。
【００２１】
また、広告抽出部９は、入力装置７若しくは読取装置８により入力され若しくは読み取られた乗客識別情報１３（性別１５、年齢１６、乗降駅１８）に基づいて、その乗客に対して効果が大きいと思われる広告情報を、広告情報サーバ１０に予め格納された第１広告情報２０と第２広告情報２１よりそれぞれ抽出する。尚、広告情報の抽出機構については後に詳細に説明する。
【００２２】
また、広告情報サーバ１０は、広告情報が第１広告情報２０と第２広告情報２１とに分かれてそれぞれ格納されている。第１広告情報２０は、広告番号、性別１５、年齢１６、第１広告画像２５とから構成され、また、第２広告情報２１は、広告番号、乗降駅１８、第２広告画像２８とからそれぞれ構成されている（図３、図４参照）。尚、第１広告情報２０及び第２広告情報２１の詳細については後に説明する。
【００２３】
また、広告印刷装置１１は、前記広告抽出部９により抽出された第１広告情報２０の第１広告画像２５及び第２広告情報２１の第２広告画像２８を、定期券に印刷する装置である。即ち、定期券発行装置２により新たに作成された定期券３０において、乗客の氏名等が印刷された印刷面３１の余白部３２に、前記第１広告画像２５及び第２広告画像２８を印刷するものである。そして、印刷面３３に広告画像３４が印刷された定期券３０は、定期券発行装置２により乗客に対して発行される。
【００２４】
尚、広告画像３４の印刷は、前記したように定期券発行装置２により新たに発行された定期券３０に対して印刷を行う方法の他に、乗客が以前に使用していた旧定期券４の印刷面３７に印刷された旧広告画像３８を新たな広告画像３４に書き換えて印刷を行う、所謂リライタブル印刷を行う方法がある。図２はリライタブル印刷を行う場合における本実施形態に係る広告付加装置の概略構成を示すブロック図である。
ここで、リライタブル印刷は、同じ印刷媒体に対して複数回の印刷を行うことが可能な印刷方法である。リライタブル印刷により印刷を行う際には、旧定期券４の印刷面に印刷された乗車期間１７等を定期券発行装置２にて書き換えるとともに、広告付加装置１により旧広告画像３８を一旦消去し、新たな広告画像３４に書き換える。そして、印刷面３７に広告画像３４が印刷された定期券４は、定期券発行装置２により乗客に対して再度発行される。
【００２５】
リライタブル印刷を行うことによっては、旧定期券４を廃棄することなく再度使用できることから、コストパフォーマンスが良くなり、また、廃棄物の量を減らすことで環境問題にも適切に配慮した装置となる。
【００２６】
次に、広告情報サーバ１０に格納された第１広告情報２０及び第２広告情報２１の詳細について図３及び図４を用いて説明する。図３は第１広告情報の一覧を示した図、図４は第２広告情報の一覧を示した図である。
第１広告情報２０は、図３に示すように性別１５、年齢１６、広告番号、第１広告画像２５とから構成されている。各広告情報は、先ず乗客の性別で大きく２つに分けられている。即ち、男性は広告番号「０００１」〜「０００６」の広告情報が広告抽出部９により抽出され、女性は広告番号「０００７」〜「００１２」の広告情報が広告抽出部９により抽出されることとなっている。
更に、それぞれの広告情報は各性別で年齢によって細かく区分けされ、「男性１９歳以下」は広告番号「０００１」、「男性２０歳代」は広告番号「０００２」、「男性３０歳代」は広告番号「０００３」、「男性４０歳代」は広告番号「０００４」、「男性５０歳代」は広告番号「０００５」、「男性６０歳以上」は広告番号「０００６」が広告抽出部９により抽出される。また、「女性１９歳以下」は広告番号「０００７」、「女性２０歳代」は広告番号「０００８」、「女性３０歳代」は広告番号「０００９」、「女性４０歳代」は広告番号「００１０」、「女性５０歳代」は広告番号「００１１」、「女性６０歳以上」は広告番号「００１２」の広告情報が広告抽出部９により抽出される。
【００２７】
そして、それぞれの広告番号「０００１」〜「００１２」の広告情報には、各性別１５及び年齢１６に対して最も効果のあると考えられる広告内容の広告画像が第１広告画像２５として格納されている。例えば、「男性１９歳以下」の場合に抽出される第１広告画像「０００１．ｂｍｐ」としては『○○スポーツ店でスポーツ用品が２０％ＯＦＦ』と記載された画像、「女性４０歳代」の場合に抽出される第１広告画像「００１０．ｂｍｐ」としては『××服店で婦人服バーゲンセール』と記載された画像がある。
【００２８】
一方、第２広告情報２１は、図４に示すように乗降駅１８、広告番号、第２広告画像２８とから構成されている。各広告情報は、乗客の乗降駅（「Ａ駅」〜「Ｉ駅」）によって広告番号「００１３」〜「００２１」に区分けされている。具体的には「Ａ駅」は広告番号「００１３」、「Ｂ駅」は広告番号「００１４」、「Ｃ駅」は広告番号「００１５」、「Ｄ駅」は広告番号「００１６」、「Ｅ駅」は広告番号「００１７」、「Ｆ駅」は広告番号「００１８」、「Ｇ駅」は広告番号「００１９」、「Ｈ駅」は広告番号「００２０」、「Ｉ駅」は広告番号「００２１」の広告情報が設定されている。そして、これらの広告情報のうち、乗客が乗車する駅と降車する駅に対応した計２つの広告情報が広告抽出部９により抽出される。
即ち、Ａ駅からＦ駅までの乗車区間に設定されている乗客は、乗降駅が「Ａ駅」と「Ｆ駅」なので、広告番号「００１３」と広告番号「００１８」の広告情報が抽出される。
【００２９】
そして、それぞれの広告番号「００１３」〜「００２１」の広告情報には、各乗降駅１８に対して最も効果のあると考えられる広告内容の広告画像が第２広告画像２８として格納されている。例えば、「Ｄ駅」が乗降駅の場合に抽出される第２広告画像「００１６．ｂｍｐ」としては、Ｄ駅の周辺地域に関する広告情報である『Ｄ駅前の△百貨店にて物産展開催』と記載された画像がある。ここで、乗客が乗車する駅と降車する駅とにより計２つの第２広告画像２８が抽出されるが、その内、ランダムによって一方の第２広告画像のみが更に抽出され、広告印刷装置１１により印刷される。
【００３０】
尚、これらの第１広告画像２５、第２広告画像２８は、文字のみならずイラスト等でも良く、また、その内容は時刻、季節によって自由に変更することが可能である。また、第２広告画像２８は、乗客が乗車する駅と降車する駅とにより計２つの第２広告画像２８が抽出されるが、その内、更にランダムに抽出された一方を印刷するのではなく、その両方を広告印刷装置１１により印刷してもよい。
【００３１】
そして、広告情報サーバ１０により抽出された、第１広告情報２０及び第２広告情報２１の第１広告画像２５及び第２広告画像２８は、それぞれ広告画像３４として広告印刷装置１１により定期券に印刷される。
以上より、乗客の性別１５、年齢１６、及び乗降駅１８に基づいて複数の広告情報から広告情報を抽出し、印刷を行うので、性別、年代ごとにそれぞれ最も効果のあると思われる広告を選別して提供することが可能である。また、乗客が利用する駅の周辺地域に関する広告を選別して提供することが可能である。従って、乗客にとって不要な広告情報を除き、必要とされる広告情報を提供することができるので、高い広告効果を期待することができる。
【００３２】
次に、前記のように構成された広告付加装置１における広告付加処理について図５に基づき説明する。図５は広告付加装置の広告付加処理に関するフローチャートである。
先ず、定期券発行装置２によって定期券が発行される際に、定期券を新規に発行するか継続発行するか否かがステップ（以下、Ｓと略記する）１において判断される。
乗客が以前の定期券を所持せずに、記入用紙３等により記入した事項に基づいて新たに定期券を発行する場合（Ｓ１：ＹＥＳ）には、入力装置７を介して広告付加装置１に乗客識別情報１３（性別１５、年齢１６、乗降駅１８）が入力される（Ｓ２）。具体的には、定期券発行の際に、記入用紙３に記載された乗客識別情報１３（氏名１４、性別１５、年齢１６、乗車期間１７、乗降駅１８）を定期券発行装置２に備えられた操作ボタン（図示せず）等を操作することにより定期券発行装置２に入力されるが、その際の入力情報が、入力装置７を介して広告付加装置１にも入力されるものである。
【００３３】
一方、乗客が以前の定期券を所持していた場合において、継続して新たな定期券を発行する場合（Ｓ１：ＮＯ）には、以前に所持している旧定期券４に記録された乗客識別情報１３（性別１５、年齢１６、乗降駅１８）が、定期券４を定期券発行機１に挿入した際に読取装置８により読み取られる（Ｓ３）。
【００３４】
続いて、Ｓ４では、前記Ｓ２若しくはＳ３にて入力され又は読み取られた乗客識別情報１３の性別１５及び年齢１６の情報に基づいて、広告抽出部９が広告情報サーバ１０の第１広告情報２５より広告情報を抽出する（図３参照）。
そして、Ｓ５では、Ｓ４と同様に広告抽出部９が前記Ｓ２若しくはＳ３にて入力され又は読み取られた乗客識別情報１３の乗降駅１８の情報に基づいて、広告情報サーバ１０の第２広告情報２８より広告情報を抽出する（図４参照）。また、乗車する駅及び降車する駅によってそれぞれ抽出された２つの広告情報は、どちらか一方がランダムに更に抽出される。
【００３５】
次に、Ｓ６では、前記Ｓ４及びＳ６によりそれぞれ抽出された第１広告情報２０の第１広告画像２５（「０００１．ｂｍｐ」〜「００１２．ｂｍｐ」のうちいずれか一つ）、及び、第２広告情報２１の第２広告画像２８（「００１３．ｂｍｐ」〜「００２１．ｂｍｐ」のうちいずれか一つ）を印刷手段により定期券に印刷する。
その際、通常の印刷方法においては、定期券発行装置２により新たに作成された定期券３０の印刷面３３の余白部３４に広告画像３４を印刷する。一方、リライタブル印刷を行う場合においては、旧定期券４の印刷面３７に印刷された広告画像３８を、一旦消去し、その上から新たな広告画像３４を再度印刷する。
【００３６】
以上より、乗客の乗客識別情報に基づいて、乗客の性別１５、年齢１６に基づいて最も広告効果があるものとして抽出された第１広告情報２０の第１広告画像２５と、乗客の乗降駅１８に基づいて最も広告効果があるものとして抽出された第２広告情報２１の第２広告画像２８とを乗客の定期券４、３０に印刷するので、定期券を利用するすべての乗客に対して広告情報を提供でき、高い広告効果を期待することができる。
【００３７】
以上説明した通り本実施形態に係る広告付加装置１では、定期券発行装置２により定期券を発行する際に、入力装置７により入力され（Ｓ２）、又は読取装置８により読み取られた（Ｓ３）乗客識別情報１３に基づいて、広告情報サーバ１０に格納された第１広告情報２０と第２広告情報２１とから各性別１５、年齢１６、乗降駅１８に応じて最も効果の期待できる広告情報を広告抽出手段９により抽出し（Ｓ４、Ｓ５）、その第１広告画像２５、第２広告画像２６とを定期券４、３０に印刷する（Ｓ６）ので、性別、年代ごとにそれぞれ乗客が興味ある分野の広告を選別して提供することが可能である。また、乗客が利用する駅の周辺地域に関わる広告を選別して提供することが可能である。従って、乗客にとって不要な広告情報を除き、必要とされる広告情報を提供することができるので、高い広告効果を期待できる。更に、各広告画像２５、２８は乗客の定期券４、３０に印刷されるので、定期券を利用するすべての乗客に対して広告情報を提供でき、より広い範囲で広告効果を発揮することができる。
【００３８】
尚、本発明は前記実施例に限定されるものではなく、本発明の要旨を逸脱しない範囲内で種々の改良、変形が可能であることは勿論である。
例えば、本実施形態においては、広告付加装置１を定期券発行装置２内に設け、定期券の発行の際に広告情報の印刷を行うこととしているが、広告付加装置１を自動改札機内に設けることも可能である。その際には、例えば自動改札機を出る際に、その自動改札機が設置された駅に基づいて第２広告情報２１よりその駅の周辺地域に関する広告情報を抽出して印刷することが可能である。従って、乗客が現在滞在している地域に基づいた広告情報を提供することが可能である。
【００３９】
また、本実施形態においては、抽出された第１広告情報２０及び第２広告情報２１の両方を印刷しているが、どちらか一方のみを印刷することも可能である。その際には、ランダムにより決定するか、予め優先順位を設定し、その優先順位に基づいて印刷される広告情報を決定しても良い。
更に、本実施形態においては、第２広告情報２１の抽出において、乗車する駅及び降車する駅によって、それぞれ抽出された２つの広告情報のどちらか一方が更にランダムに抽出され、印刷することとしているが、駅ごとに優先順位を設けその優先順位に従って一方を抽出しても良い。
【００４０】
また、本実施形態においては、広告情報を抽出する要素として、乗客の性別１５、年齢１６、及び乗降駅１８を用いているが、乗客の住所を新たな抽出要素として加えることも可能である。その際には、乗客の住む地域に基づいた広告情報を抽出することが可能となる。
【図面の簡単な説明】
【００４１】
【図１】本実施形態に係る広告付加装置の概略構成を示すブロック図である。
【図２】リライタブル印刷を行う場合における本実施形態に係る広告付加装置の概略構成を示すブロック図である。
【図３】本実施形態に係る第１広告情報の一覧を示した図。
【図４】本実施形態に係る第２広告情報の一覧を示した図。
【図５】本実施形態に係る広告付加装置の広告付加処理に関するフローチャートである。
【符号の説明】
【００４２】
１              広告付加装置
４              定期券
７              入力装置
８              読取装置
９              広告抽出部
１０            広告情報サーバ
１１            広告印刷装置
１３            乗客識別情報
１５            性別
１６            年齢
１８            乗降駅
２０            第１広告情報
２１            第２広告情報
３０            定期券
３４、３８      広告画像
【図１】
2005156965.tif 000003
【図２】
2005156965.tif 000004
【図３】
2005156965.tif 000005
【図４】
2005156965.tif 000006
【図５】
2005156965.tif 000007